(57)【要約】【課題】原子力プラント内での紙の使用量を低減し作業記録の管理を容易とする原子力プラント内作業支援装置及び原子力プラント内作業支援方法を提供する。【解決手段】原子力プラント内作業支援装置は、原子力プラント内の作業に関する作業情報を記憶する記憶手段と、前記作業情報を表示する表示手段と、を含む。また、原子力プラント内作業支援方法は、原子力プラント内の作業手順の工程又は作業場所を表示する手順と、作業手順の工程又は作業場所において、作業が実施されたことの確認情報又は計測情報を入力する手順と、確認情報又は計測情報をデータベースに記憶する手順と、データベースに記憶した確認情報又は計測情報を帳票フォームに入力し報告書として記憶する手順と、を含む。【選択図】図１
2012159478.tif 000002
【特許請求の範囲】
【請求項１】
原子力プラント内の作業に関する作業情報を記憶する記憶手段と、
前記作業情報を表示する表示手段と、
を含むことを特徴とする原子力プラント内作業支援装置。
【請求項２】
前記作業情報は、作業手順であって、
前記表示手段が時系列にされた前記作業手順を表示する請求項１に記載の原子力プラント内作業支援装置。
【請求項３】
さらに、前記作業手順において原子力プラント内の作業に関する計測情報を入力する入力手段を含み、
前記記憶手段は、前記計測情報を記憶し、
前記表示手段は、前記計測情報が前記記憶手段に予め記憶された判定基準情報に照会された結果の区別を表示する請求項２に記載の原子力プラント内作業支援装置。
【請求項４】
前記表示手段が前記計測情報と、前記記憶手段に記憶されている過去の計測情報とを表示する請求項３に記載の原子力プラント内作業支援装置。
【請求項５】
前記計測情報は、前記記憶手段に記憶されている帳票フォームに入力され、報告書類として前記記憶手段に記憶される請求項３に記載の原子力プラント内作業支援装置。
【請求項６】
入力手段が前記作業手順において作業が実施されたことの確認情報を入力し、
前記記憶手段が前記確認情報を記憶し、
前記表示手段は、前記確認情報を区別して表示する請求項２に記載の原子力プラント内作業支援装置。
【請求項７】
前記原子力プラントの外のコンピュータと、無線通信、有線通信、記憶媒体のいずれか１以上を介して前記確認情報又は前記計測情報を相互に移動可能である請求項３から６のいずれか１項に記載の原子力プラント内作業支援装置。
【請求項８】
前記作業手順が有するいずれかの工程で、前記処理部が撮像手段に撮影された写真情報と、前記入力手段により入力した文字情報と、前記入力手段により入力した図形情報と、いずれか１以上を前記作業手順に関連付けて前記記憶手段に記憶する請求項３から７のいずれか１項に記載の原子力プラント内作業支援装置。
【請求項９】
原子力プラント内の作業手順の工程又は作業場所を表示する手順と、
前記作業手順の工程又は前記作業場所において、作業が実施されたことの確認情報又は計測情報を入力する手順と、
前記確認情報又は前記計測情報をデータベースに記憶する手順と、
前記データベースに記憶した前記確認情報又は前記計測情報を帳票フォームに入力し報告書として記憶する手順と、
を含むことを特徴とする原子力プラント内作業支援方法。
【発明の詳細な説明】
【技術分野】
【０００１】
本発明は、原子力プラント内の作業を支援するための原子力プラント内作業支援装置及び原子力プラント内作業支援方法に関する。
【背景技術】
【０００２】
原子力プラント内の作業では、原子力プラント内に紙を持ち込み、作業者の手作業により紙に作業記録が残されている。一方、建造物施工の用途において、特許文献１では作業検査用タッチパネル式携帯型端末器が開示されている。
【先行技術文献】
【特許文献】
【０００３】
【特許文献１】特開平６−１８７３４９号公報
【発明の概要】
【発明が解決しようとする課題】
【０００４】
ところで、作業者の手作業で記録された紙の作業記録は、転記した後にコンピュータで管理する必要がある。また、放射線管理区域内である原子力プラント内では、持ち込む紙の使用量を低減する必要がある。
【０００５】
本発明は、上述した課題を解決するものであり、原子力プラント内での紙の使用量を低減し、作業記録の管理を容易とする原子力プラント内作業支援装置及び原子力プラント内作業支援方法を提供することを目的とする。
【課題を解決するための手段】
【０００６】
上述の目的を達成するために原子力プラント内作業支援装置は、原子力プラント内の作業に関する作業情報を記憶する記憶手段と、前記作業情報を表示する表示手段と、を含むことを特徴とする。
【０００７】
これにより、作業者は、原子力プラント内作業支援装置の作業情報に従い作業ができる。その結果、作業者は、適切な作業手順で原子力プラント内作業を完了できるとともに、情報を紙へ記録する必要もなくなる。このため、原子力プラント内に持ち込む紙の量がゼロになるか又は低減される。
【０００８】
本発明の望ましい態様として原子力プラント内作業支援装置では、前記作業情報は、作業手順であって、前記表示手段が時系列にされた前記作業手順を表示することが好ましい。これにより作業工程の漏れを防止できる。
【０００９】
本発明の望ましい態様として原子力プラント内作業支援装置は、前記作業手順において原子力プラント内の作業に関する計測情報を入力する入力手段を含み、前記記憶手段は、前記計測情報を記憶し、前記表示手段は、前記計測情報が前記記憶手段に予め記憶された判定基準情報に照会された結果の区別を表示することが好ましい。これにより、計測値の自動判定ができる。その結果、作業者は、判定結果に基づく作業に集中することができる。
【００１０】
本発明の望ましい態様として原子力プラント内作業支援装置では、前記記憶手段に記憶されている過去の計測情報とを表示することが好ましい。これにより、計測情報の傾向を把握することができる。
【００１１】
本発明の望ましい態様として原子力プラント内作業支援装置では、前記計測情報は、前記記憶手段に記憶されている帳票フォームに入力され、報告書類として前記記憶手段に記憶されることが好ましい。これにより、作業者が紙の作業記録を転記不要とすることができる。
【００１２】
本発明の望ましい態様として原子力プラント内作業支援装置では、入力手段が前記作業手順において作業が実施されたことの確認情報を入力し、前記記憶手段が前記確認情報を記憶し、前記表示手段は、前記確認情報を区別して表示することが好ましい。これにより、作業者が作業済みの工程と、未作業の工程とを区別できる。その結果、作業工程の漏れを防止できる。
【００１３】
本発明の望ましい態様として原子力プラント内作業支援装置では前記原子力プラントの外のコンピュータと、無線通信、有線通信、記憶媒体のいずれか１以上を介して前記確認情報又は前記計測情報を相互に移動可能であることが好ましい。これにより、原子力プラント内から原子力プラント外への紙の持ち出しを低減できる。また、原子力プラント内から原子力プラント外への情報伝達が可能となり、作業者が紙の作業記録を転記不要とすることができる。また、原子力プラント外から原子力プラント内への情報伝達が可能となり、過去の計測情報を原子力プラント外のコンピュータから原子力プラント内作業支援装置へ取り込むことができる。これにより、情報蓄積する記憶手段を小さくしてもよく、原子力プラント内作業支援装置を小型化することができる。
【００１４】
本発明の望ましい態様として原子力プラント内作業支援装置では、前記作業手順が有するいずれかの工程で、前記処理部が撮像手段に撮影された写真情報と、前記入力手段により入力した文字情報と、前記入力手段により入力した図形情報と、いずれか１以上を前記作業手順に関連付けて前記記憶手段に記憶することが好ましい。これにより原子力プラント内作業支援装置が支援する作業の現場状況の記録を写真情報又は図形情報と共に記憶することができ、作業者は状況把握が容易になる。
【００１５】
上述の目的を達成するために原子力プラント内作業支援方法は、原子力プラント内の作業手順の工程又は作業場所を表示する手順と、前記作業手順の工程又は前記作業場所において、作業が実施されたことの確認情報又は計測情報を入力する手順と、前記確認情報又は前記計測情報をデータベースに記憶する手順と、前記データベースに記憶した前記確認情報又は前記計測情報を帳票フォームに入力し報告書として記憶する手順と、を含むことを特徴とする。
【００１６】
これにより、作業者は、表示される原子力プラント内の作業手順の工程又は作業場所の選択に従い、作業実施の確認情報又は計測情報を入力作業することができる。その結果、作業者は、適切な作業手順で原子力プラント内作業を完了できるとともに、情報を紙へ記録する必要もなくなる。このため、原子力プラント内に持ち込む紙の量がゼロになるか又は低減される。
【発明の効果】
【００１７】
本発明によれば、原子力プラント内での紙の使用量を低減し、作業記録の管理を容易とすることができる。
【図面の簡単な説明】
【００１８】
【図１】図１は、原子力プラント内作業支援装置の模式図である。
【図２】図２は、原子力プラント内作業支援装置のシステムを説明するための説明図である。
【図３】図３は、実施形態１に係る原子力プラント内の作業手順を示すフローチャートである。
【図４−１】図４−１は、実施形態１に係る作業情報の表示例を示す図である。
【図４−２】図４−２は、実施形態１に係る作業情報の表示例を示す図である。
【図４−３】図４−３は、実施形態１に係る作業情報の表示例を示す図である。
【図４−４】図４−４は、実施形態１に係る作業情報の表示例を示す図である。
【図４−５】図４−５は、実施形態１に係る作業情報の表示例を示す図である。
【図４−６】図４−６は、実施形態１に係る作業情報の表示例を示す図である。
【図５】図５は、実施形態２に係る原子力プラント内の作業手順を示すフローチャートである。
【図６−１】図６−１は、実施形態２に係る作業情報の表示例を示す図である。
【図６−２】図６−２は、実施形態２に係る作業情報の表示例を示す図である。
【図６−３】図６−３は、実施形態２に係る作業情報の表示例を示す図である。
【図６−４】図６−４は、実施形態２に係る作業情報の表示例を示す図である。
【図６−５】図６−５は、実施形態２に係る作業情報の表示例を示す図である。
【図６−６】図６−６は、実施形態２に係る作業情報の表示例を示す図である。
【図６−７】図６−７は、実施形態２に係る作業情報の表示例を示す図である。
【図６−８】図６−８は、実施形態２に係る作業情報の表示例を示す図である。
【図６−９】図６−９は、実施形態２に係る作業情報の表示例を示す図である。
【図７】図７は、実施形態３に係る原子力プラント内の作業手順を示すフローチャートである。
【図８−１】図８−１は、実施形態３に係る作業情報の表示例を示す図である。
【図８−２】図８−２は、実施形態３に係る作業情報の表示例を示す図である。
【図８−３】図８−３は、実施形態３に係る作業情報の表示例を示す図である。
【図８−４】図８−４は、実施形態３に係る作業情報の表示例を示す図である。
【図９】図９は、実施形態４に係る原子力プラント内の作業手順を示すフローチャートである。
【発明を実施するための形態】
【００１９】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。
【００２０】
（実施形態１）
実施形態１について、図面を参照して説明する。図１は、原子力プラント内作業支援装置の模式図である。図２は、原子力プラント内作業支援装置のシステムを説明するための説明図である。
【００２１】
図１に示すように、原子力プラントでは、放射線管理区域Ａと、放射線管理区域外Ｂとに区別される。放射線管理区域Ａでは、放射線管理区域Ａへの持ち込み物及び放射線管理区域外Ｂへの持ち出し物が厳重に管理されており、放射線管理区域Ａへの持ち込み物が少ないことが望ましい。放射線管理区域Ａは例えば原子力プラント内の格納容器内及び補助建屋内であり、放射線管理区域外Ｂとは、原子力プラント内であって放射線管理区域Ａ以外である。
【００２２】
図１に示すように、放射線管理区域Ａに持ち込み可能な原子力プラント内作業支援装置１は、例えば、タブレット型コンピュータと呼ばれるペン入力可能な携帯端末である。原子力プラント内作業支援装置１は、タッチパネル表示装置３０と、入力装置３５と、メモリスロット３６とを含んでいる。タッチパネル表示装置３０は、液晶パネル等で情報を表示可能であると共に、ペン型入力装置３０ａと近接又はペン型入力装置３０ａが接触すると、液晶パネル上でのペン型入力装置３０ａの位置情報及びペン型入力装置３０ａの入力指示情報を原子力プラント内作業支援装置１へ伝達できる。なお、ペン型入力装置３０ａを使用せず、人間の指を用いて指の位置情報及び入力指示情報を原子力プラント内作業支援装置１へ伝達してもよい。
【００２３】
入力装置３５は、キーボード３３及びポインタ３４を含んでいる。キーボード３３は、作業者による入力により文字情報等を原子力プラント内作業支援装置１へ伝達できる。ポインタ３４は、液晶パネル上でのポインタ３４の位置情報及びポインタ３４の入力指示情報を原子力プラント内作業支援装置１へ伝達できる。なお、原子力プラント内作業支援装置１は、タッチパネル表示装置３０を有していれば、入力装置３５を省略した構成とすることもできる。
【００２４】
メモリスロット３６は、メモリカード４１を内在可能である。メモリカード４１は、記憶媒体である。原子力プラント内作業支援装置１は、メモリスロット３６内にメモリカード４１を内在させた状態で、情報を読み書きできる。メモリカード４１は、フラッシュメモリが小型で好ましいが、フレキシブルディスク（ＦＤ）、ＣＤ−Ｒ、ＭＯ、ＤＶＤ−Ｒ等のコンピュータで読み書き可能な情報記憶媒体であれば限定されるものではない。
【００２５】
原子力プラント内作業支援装置１は、計測装置５１又は情報入力装置５２と接続可能である。計測装置５１は、デジタルマルチメータ等の計測機器であり、原子力プラント内の検査等で使用される。計測装置５１は、信号線ｉｓを介して原子力プラント内作業支援装置１へ計測情報を伝達可能である。情報入力装置５２は、デジタルカメラ、マイク等を有する音声認識装置、ＩＣタグ等の個体識別装置等の機器である。情報入力装置５２は、信号線ｉｐを介して画像情報、動画情報、音声情報等を原子力プラント内作業支援装置１へ入力可能である。
【００２６】
原子力プラント内作業支援装置１は、無線通信装置４３又は有線通信回線４２により、放射線管理区域外Ｂのサーバシステム８０と通信可能である。放射線管理区域外Ｂのサーバシステム８０は、メモリスロット３７を有している。メモリスロット３７は、メモリスロット３６と同じ構成である。サーバシステム８０は、表示装置８５と、入力装置８６とに接続されている。サーバシステム８０は、無線通信装置４４又は有線通信回線４２により、放射線管理区域内Ａの原子力プラント内作業支援装置１と通信可能である。ここで、無線通信装置４３と無線通信装置４４とは、ＰＨＳ（Personal Handy-phone System）等の無線通信回線４５を介して通信可能である。次に、図２を用いて、原子力プラント内作業支援装置１のシステムを説明する。
【００２７】
図２に示す原子力プラント内作業支援装置１は、入力処理回路１１と、入力ポート１２と、処理部２０と、記憶部２４と、出力ポート１３と、出力処理回路１４と、を有する。図２に示すサーバシステム８０は、入力処理回路８１と、入力ポート８２と、処理部９０と、記憶部９４と、出力ポート８３と、出力処理回路８４と、を有する。以下、同じ構成については、まとめて説明する。
【００２８】
処理部２０、９０は、例えば、ＣＰＵ（Central Processing Unit：中央演算装置）２１、９１と、ＲＡＭ（Random Access Memory）２２、９２と、ＲＯＭ（Read Only Memory）２３、９３とを含んでいる。サーバシステム８０には、表示装置８５と、入力装置８６とが付随していてもよい。サーバシステム８０には、表示装置８５と、キーボード等の入力装置８６と、印刷装置９５とが接続可能である。またサーバシステム８０は、表示装置８５と、入力装置８６と印刷装置９５とがなくても動作可能である。
【００２９】
処理部２０、９０と、記憶部２４、９４と、入力ポート１２、８２及び出力ポート１３、８３とは、バス１７、８７、バス１８、８８、バス１９、８９を介して接続される。バス１７、８７、バス１８、８８及びバス１９、８９により、処理部２０、９０のＣＰＵ２１、９１は、記憶部２４、９４と、入力ポート１２、８２及び出力ポート１３、８３と相互に制御データを遣り取りしたり、一方に命令を出したりできるように構成される。
【００３０】
入力ポート１２、８２には、入力処理回路１１、８１が接続されている。入力処理回路１１には、例えば、信号線ｉｓ、信号線ｉｐ、メモリスロット３６、キーボード３３、ポインタ３４が接続されている。また、入力処理回路８１には、例えば、有線通信回線４２、メモリスロット３７、入力装置８６が接続されている。そして、入力された信号（情報）は、入力処理回路１１、８１に備えられるノイズフィルタやＡ／Ｄコンバータ等により、処理部２０、９０が利用できる信号に変換されてから、入力ポート１２、８２を介して処理部２０、９０へ送られる。これにより、処理部２０、９０は、必要な情報を取得することができる。入力処理回路１１へ入力される信号は、例えば、上述したキーボード３３又はポインタ３４を有する入力装置３５の入力情報、タッチパネル３１を有するタッチパネル表示装置３０の入力情報、計測装置５１から信号線ｉｓを介して取得した計測情報、又は情報入力装置５２から信号線ｉｐを介して取得した画像情報、動画情報、音声情報等である。入力処理回路８１へ入力される信号は、後述する出力処理回路１４からの出力情報等である。
【００３１】
出力ポート１３、８３には、出力処理回路１４、８４が接続されている。出力処理回路１４、８４は、表示装置制御回路、制御信号回路、信号増幅回路等を備えている。出力処理回路１４には、表示装置３２、メモリスロット３６、図１に示す無線通信装置４３、外部出力用の端子等が接続されている。出力処理回路８４には、表示装置８５、メモリスロット３７、図１に示す無線通信装置４４、印刷装置９５、外部出力用の端子等が接続されている。表示装置３２、８５は、例えば液晶表示パネルやＣＲＴ（Cathode Ray Tube）等を用いることができる。タッチパネル表示装置３０は、タッチパネル３１が表示装置３２に重ね合わされ一体となっている。タッチパネル３１は、対向する透明電極膜を有しており、ペン型入力装置３０ａ又は人間の指が近接又は接触することで生じる透明電極膜間の容量変化又は抵抗変化を出力する。
【００３２】
記憶部２４、９４は、コンピュータプログラム等が記憶されている。ここで、記憶部２４、９４は、ＲＡＭのような揮発性のメモリ、フラッシュメモリ等の不揮発性のメモリ、ハードディスクドライブあるいはこれらの組み合わせにより構成することができる。
【００３３】
上記コンピュータプログラムは、処理部２０、９０へすでに記録されているコンピュータプログラムとの組み合わせによって、原子力プラント内作業支援装置１の動作手順、サーバシステム８０の動作手順を実行するものであってもよい。また、原子力プラント内作業支援装置１、サーバシステム８０は、コンピュータプログラムの代わりに専用のハードウェアを用いて、原子力プラント内作業支援装置１の動作手順、サーバシステム８０の動作手順を実行するものであってもよい。
【００３４】
また、原子力プラント内作業支援装置１の動作手順、サーバシステム８０の動作手順は、予め用意されたプログラムをパーソナル・コンピュータやワークステーション、あるいは制御用コンピュータ等のコンピュータシステムで実行することによって実現することもできる。また、このプログラムは、ハードディスク等の記憶装置、フレキシブルディスク（ＦＤ）、ＲＯＭ、ＣＤ−ＲＯＭ、ＭＯ、ＤＶＤ、フラッシュメモリ等のコンピュータで読み取り可能な情報記憶媒体に記録され、コンピュータによって情報記憶媒体から読み出されることによって実行することもできる。なお、ここでいう「コンピュータシステム」とは、ＯＳや周辺機器等のハードウェアを含むものとする。
【００３５】
また、「コンピュータ読み取り可能な情報記憶媒体」には、インターネット等のネットワークや電話回線等の通信回線網を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものを含むものとする。また、上記プログラムは、前述した機能の一部を実現するためのものであってもよく、さらに前述した機能をコンピュータシステムにすでに記録されているプログラムとの組み合わせで実現できるものであってもよい。
【００３６】
次に、図１から図４−６を参照して、原子力プラント内作業支援方法の手順を説明する。図３は、実施形態１に係る原子力プラント内の作業手順を示すフローチャートである。
図４−１から図４−６は、実施形態１に係る作業情報の表示例を示す図である。
【００３７】
図３に示すフローチャートに沿って原子力プラント内作業支援方法の手順を説明する。本実施形態では、原子力プラント内作業支援装置１は、例えば、原子力プラント内の作業である特定設備の復旧作業を支援する。原子力プラント内作業支援装置１の処理部２０は、まず初期条件の入力受付を開始する（ステップＳ１０）。図４−１は、処理部２０が初期条件の入力受付を行っている表示画面Ｗ１１を示している。情報入力ボタン１０１は、情報入力を受け付けるキーであって、処理部２０は、情報入力ボタン１０１がプルダウンされることで、写真、手書き、文字の各情報を受け付けることができる。
【００３８】
プラント選択カラム１０２は、作業者がＲＡＭ２２又は記憶部２４に記憶してあるプラントを選択するか、直接入力可能とし、処理部２０が初期条件の入力受付として対象プラントをＲＡＭ２２又は記憶部２４に記憶する。
【００３９】
定期検査回数カラム１０３は、作業者がＲＡＭ２２又は記憶部２４に記憶してある回数表示を選択するか、選択できない場合に追加ボタン１０４により直接入力可能とし、処理部２０が初期条件の入力受付として回数表示をＲＡＭ２２又は記憶部２４に記憶する。
【００４０】
実施日カラム１０５は、年カラム１０５ａ、月カラム１０５ｂ、日カラム１０５ｃにより直接入力可能とし、処理部２０が初期条件の入力受付として実施日をＲＡＭ２２又は記憶部２４に記憶する。作業対象選択ボタン１０６は、後述する作業対象入力受付の手順で使用するボタンである。テンキー表示ボタン１０７は、タッチパネル表示装置３０上にテンキーを表示させるボタンであり、作業者がペン型入力装置３０ａにより文字情報を処理部２０に受付可能とさせる。一覧表示ボタン１０８は、作業者がＲＡＭ２２又は記憶部２４に記憶する情報を一覧でタッチパネル表示装置３０上に表示させるボタンである。帳票出力ボタン１０９は、作業者が入力することにより、ＲＡＭ２２又は記憶部２４に記憶する情報を処理部２０が帳票フォームに入力し、入力後報告書類としてＲＡＭ２２又は記憶部２４に記憶させるボタンである。処理部２０は、確認のため報告書類をタッチパネル表示装置３０上に表示させる。判定基準設定ボタン１１０は、作業者が判定基準を入力する表示画面へ切り替えるボタンである。終了ボタン１１１は、表示画面Ｗ１１を終了させるボタンである。
【００４１】
処理部２０は、初期条件の入力受付を受け付けると、次にＲＡＭ２２又は記憶部２４に記憶されている判定基準の有無が判断される手順（ステップＳ１１）が行われる。判定基準ありと判断される場合（ステップＳ１１、Ｙｅｓ）、処理部２０が次の作業対象入力受付の手順（ステップＳ２０）を実行する。例えば処理部２０が判定基準設定ボタン１１０を消し、処理部２０が作業者へ次の手順を促す。判定基準なしと判断される場合（ステップＳ１１、Ｎｏ）、例えば処理部２０が判定基準設定ボタン１１０をタッチパネル表示装置３０上に表示し、次の判定基準の入力受付の手順（ステップＳ１２）を促す。
【００４２】
作業者により判定基準設定ボタン１１０が選択されると、例えば、図４−２に示す表示画面Ｗ１２では、作業手順の工程毎に、判定基準カラム１１７、基準値カラム１１８、範囲カラム１１９として入力可能とされており、処理部２０が判定基準カラム１１７、基準値カラム１１８、範囲カラム１１９で受け付けた情報を判定基準の入力として受け付け、情報をＲＡＭ２２又は記憶部２４に記憶する。入力受付後、前の画面へ戻るボタン１１５により、処理部２０が表示画面Ｗ１１をタッチパネル表示装置３０上に表示する。
【００４３】
次に、処理部２０は、作業対象入力受付の手順（ステップＳ２０）を行う。まず、画面Ｗ１１の作業対象選択ボタン１０６の入力が受け付けられ、図４−３に示す表示画面Ｗ１３がタッチパネル表示装置３０上に表示される。表示画面Ｗ１３では、特定設備の配置を模したマップ上に、特定番号が付された状態で作業対象となる設備が表示されている。作業者がペン型入力装置３０ａによりタッチパネル表示装置３０上で矢印Ｙの位置を変更できる。例えば、作業者が矢印Ｙの位置をペン型入力装置３０ａによりタッチパネル表示装置３０上で決定すると、作業対象設備Ｑが選択される。作業者はテンキー表示１０７により、直接作業対象設備特定番号を入力し、作業対象設備Ｑを選択してもよい。なお、選択毎に初期条件の入力カラム１１２を設け、作業対象となる作業対象設備Ｑの入力受け付けの前提として入力カラム１１２の入力受付が設定されていてもよい。作業対象設備Ｑの選択は、ロック解除ボタン１１３で解除可能であり、この場合作業者が別の作業対象設備を矢印Ｙの位置３０上で決定し、再ロックボタン１１４で確定する。タッチパネル表示装置３０上では、作業対象設備が凡例１１６に従い実施済み、実施済みであるが判定基準外の作業対象設備に区別して表示され、過去選択されていない作業対象設備は白抜きで表示されている。
【００４４】
次に、処理部２０は、作業対象設備Ｑが入力を受け付けられると、ＲＡＭ２２又は記憶部２４に記憶してある作業手順の工程表示をする手順（ステップＳ３０）を実行する。図４−４では、処理部２０がＲＡＭ２２又は記憶部２４が記憶している作業手順の工程１２０を表示装置３２に表示した表示画面Ｗ１４を示している。表示画面Ｗ１４の前提カラム１１２ａには、作業前提として入力カラム１１２で受け付けた情報が表示されている。
【００４５】
表示画面Ｗ１４には、作業手順の工程１２０が１工程毎に、工程名ボタン１２２Ａ、１２２Ｂ、１２２Ｃ、１２２Ｄ、１２２Ｅ、１２２Ｆ、１２２Ｇの順に時系列で表示される。作業者は、時系列に表示された作業手順の工程に沿って作業することで、作業工程の漏れを防止できる。工程名ボタン１２２Ａ、１２２Ｂ、１２２Ｃ、１２２Ｄ、１２２Ｅ、１２２Ｆ、１２２Ｇの各々には、説明注意事項ボタン１２１Ａ、１２１Ｂ、１２１Ｃ、１２１Ｄ、１２１Ｅ、１２１Ｆ、１２１Ｇが割り当てられ、工程名ボタン１２２Ａ、１２２Ｂ、１２２Ｃ、１２２Ｄ、１２２Ｅ、１２２Ｆ、１２２Ｇの各説明及び各注意事項を表示できるようになっている。
【００４６】
原子力プラント内の作業は、細心の注意を払って作業することが好ましく、説明注意事項ボタンの入力受付後でなければ、作業手順の工程を進めることができない手順とすることが好ましい。これにより、作業者は、説明注意事項ボタンの入力受付後、各説明及び各注意事項を表示し、閲覧した後で作業することになるので、適切な作業をすることができる。
【００４７】
表示画面Ｗ１４では、説明注意事項ボタン１２１Ａと、工程名ボタン１２２Ａと、チェックカラム１２３Ａとが横一列に並んだ状態で表示されている。チェックカラム１２３Ｂについてもチェックカラム１２３Ａと同様に配列されている。あるいは、チェックカラム１２３Ａの代わりに値入力カラム１２４Ａが用いられ、表示画面Ｗ１４では、例えば、説明注意事項ボタン１２１Ｂと、工程名ボタン１２２Ｂと、値入力カラム１２４Ａとが横一列に並んだ状態で表示されている。値入力カラム１２４Ｂ、１２４Ｃ、１２４Ｄ、１２４Ｅについても値入力カラム１２４Ａと同様に配列されている。
【００４８】
表示画面Ｗ１４には、作業手順の工程１２０が複数頁に渡って表示されても良い。例えば、スクロールバーＳＢで、作業手順の工程１２０の全体を表示装置３２に表示させることができる。あるいは、ページアップボタンＰＵでページ上位の工程を表示装置３２に表示させても良い。さらに、ページアップダウンＰＤでページ下位の工程を表示装置３２に表示させても良い。工程を１つ毎に前へずらすアップボタンＵ又は工程を１つ毎に後へずらすダウンボタンＤを一回ずつ又は連続して押すことで表示を変えることもできる。また、センターボタンＣを押すと、実施すべき未実施工程を中心として、工程を表示することができる。工程名ボタン１２２Ａ、１２２Ｂ、１２２Ｃ、１２２Ｄ、１２２Ｅ、１２２Ｆ、１２２Ｇは、凡例１２５に従い区別され表示される。このため、表示画面Ｗ１４では、作業者は、作業順の工程１２０のうち工程名ボタン１２２Ａ、１２２Ｂに対応する工程は実施済みであることが容易に判別できる。本実施形態では、処理部２０がタッチパネル表示装置３０に作業順の工程１２０を時系列表示し、入力された作業済み情報をＲＡＭ２２又は記憶部２４に記憶し、作業済み情報に対応する検査手順の１工程を作業完了として区別してタッチパネル表示装置３０に表示させる。これにより、作業者が作業済みの工程（作業が実施された工程）と、未作業の工程とを区別できる。また、処理部２０は、各工程の作業済みの時刻をＲＡＭ２２又は記憶部２４に記憶する。これにより、工程毎の工数把握情報を得ることができ、効率のよい作業計画を立てることができる。
【００４９】
ペン型入力装置３０ａにより説明注意事項ボタン１２１に表示要求の入力がされると、タッチパネル表示装置３０に表示画面Ｗ１５が表示される。表示画面Ｗ１５は、図４−４の表示画面Ｗ１４に示される説明注意事項ボタン１２１Ａと同一列に並んだ工程名ボタン１２２Ａが示す工程と同じ工程名の工程名表示１３１と、この工程名の説明表示１３２と、注意事項表示１３３とを同時に表示する。これにより、作業者は作業内容の把握を容易にできる。なお、変更して戻るボタン１３４を使用することで、説明及び注意事項を最新の状態へ更新することができる。戻るボタン１３５を使用すると、表示画面Ｗ１４へ戻る。
【００５０】
図４−４に示す表示画面Ｗ１４に作業手順の工程１２０が表示されると、処理部２０は、次に作業実施の確認情報入力受付又は計測情報の入力受付を行う（ステップＳ４０）。作業実施の確認情報入力受付は、作業者が図４−４に示す表示画面Ｗ１４に示されるチェックカラム１２３Ａ、１２３Ｂ等にペン型入力装置３０ａで表示要求の入力をすると、チェックカラム１２３Ａ、１２３Ｂ等にチェックマークが付与される。前記チェックマークが付与されることにより、処理部２０には作業実施の確認情報入力受付が行われる。あるいは、チェック専用ボタン１１９を使用して、処理部２０が作業実施の確認情報入力受付を行ってもよい。次に、処理部２０が計測情報の入力受付の有無を判断する手順を行う（ステップＳ４１）。作業実施の確認情報入力受付であって、計測情報の入力受付の工程でない場合（ステップＳ４１、Ｎｏ）、処理部２０が全工程完了の有無を判断する手順を行う（ステップＳ４７）。
【００５１】
計測情報の入力受付の工程である場合（ステップＳ４１、Ｙｅｓ）、処理部２０は、計測情報の入力受付を行う。ペン型入力装置３０ａにより工程名ボタン１２２に対して表示要求の入力がされると、例えば、図４−６に示す表示画面Ｗ１６がタッチパネル表示装置３０に表示される。処理部２０は、入力受付した計測情報が判定基準内であるか判断する手順を行う（ステップＳ４５）。表示画面Ｗ１６では、図４−４の表示画面Ｗ１４に示される工程名ボタン１２２Ｃに対応した作業番号１４１が表示されている。また、上述した計測装置５１からの入力データ又はテンキー表示１０７により作業者により入力された測定値が測定値カラム１４２に入力される。処理部２０は、測定値カラム１４２に入力された測定値をＲＡＭ２２又は記憶部２４に記憶する。上述した情報入力装置５２からの音声入力データにより音声識別された測定値が測定値カラム１４２に入力され、処理部２０が測定値を計測情報としてＲＡＭ２２又は記憶部２４に記憶するようにしてもよい。
【００５２】
処理部２０は、ＲＡＭ２２又は記憶部２４に記憶する判定基準をＲＡＭ２２のワークスペースに読み出し、判定基準カラム１４４に表示する。処理部２０は、測定値と判定基準とを比較し、凡例表示１４３に従い判断結果を測定値カラム１４２に表示する。入力受付した計測情報が判定基準内でない場合（ステップＳ４５、Ｎｏ）、ステップＳ４０に戻り、計測情報の入力受付を再開する。入力受付した計測情報が判定基準内である場合（ステップＳ４５、Ｙｅｓ）、処理部２０が全工程完了の有無を判断する手順を行う（ステップＳ４７）。なお、作業者は、表示画面Ｗ１６において、判定基準設定ボタン１４５により判定基準を確認し、必要に応じて修正できる。また、戻るボタン１４６により、表示画面Ｗ１４に戻ることができる。
【００５３】
全工程完了の有無を判断する手順において工程の途中である場合（ステップＳ４７、Ｎｏ）、ステップＳ３０に戻る。全工程が完了した場合（ステップＳ４７、Ｙｅｓ）、処理部２０は、工程毎に作業実施の確認情報又は計測情報をデータベースとしてＲＡＭ２２又は記憶部２４に記憶する手順を行う（ステップＳ５０）。次に、処理部２０は、全作業対象について完了の有無を判断する手順を行う（ステップＳ５１）。全作業対象が完了していない場合（ステップＳ５１、Ｎｏ）、処理部２０は、処理をステップＳ２０へ戻す。全作業対象が完了している場合（ステップＳ５１、Ｙｅｓ）、処理部２０は、帳票作成の入力受付を行う（ステップＳ６１）。帳票作成の入力受付においては、図４−１に示す表示画面Ｗ１１の帳票出力ボタン１０９の入力受付がされる（ステップＳ６１、Ｙｅｓ）と、処理部２０は、上述したデータベースに記憶した計測情報等をＲＡＭ２２又は記憶部２４に記憶する帳票フォームに入力し、入力後報告書としてＲＡＭ２２又は記憶部２４に記憶する（ステップＳ６２）。処理部２０は、帳票作成の入力受付がない場合（ステップＳ６１、Ｎｏ）、処理を終了する。
【００５４】
上述したように本実施形態では、原子力プラント内作業支援装置１は、原子力プラント内の作業に関する作業情報を記憶する記憶手段であるＲＡＭ２２又は記憶部２４と、処理部２０が前記作業情報を表示させる表示手段であるタッチパネル表示装置３０と、を有する。これにより、作業者は、原子力プラント内作業支援装置の作業情報に従い作業ができる。その結果、作業者は、適切な作業手順で原子力プラント内作業を完了できるとともに、情報を紙へ記録する必要もなくなる。このため、原子力プラント内に持ち込む紙の量がゼロになるか又は低減される。
【００５５】
本実施形態の原子力プラント内作業支援装置１では、検査作業に関する作業情報は、作業手順の工程１２０であって、処理部２０が作業手順の工程１２０を時系列に、表示手段であるタッチパネル表示装置３０に表示させる。これにより作業工程の漏れを防止できる。
【００５６】
本実施形態の原子力プラント内作業支援装置１では、処理部が受け付ける信号を入力するための入力手段であるタッチパネル表示装置３０又は入力装置３５を有し、入力された計測情報が前記記憶手段に記憶され、処理部２０が計測情報を前記記憶手段に予め記憶された判定基準情報に照会し、前記計測情報が判定基準内又は判定基準外のいずれかであることを区別して前記表示手段であるタッチパネル表示装置３０に表示することが好ましい。これにより、計測値の自動判定ができる。その結果、作業者は、判定結果に基づく作業に集中することができる。また、入力手段と表示手段とを兼ねたタッチパネル装置３０を用いることにより、煩雑な確認情報を効率よく入力することができる。これにより、作業の実施又は未実施の状態の判断が容易になる。
【００５７】
本実施形態の原子力プラント内作業支援装置１は、前記計測情報又は確認情報を、前記記憶手段に記憶されている帳票フォームに入力し、報告書類として前記記憶手段に記憶する。これにより、作業者が紙に記述した作業記録を他の被記録媒体へ転記する作業を不要とすることができる。
【００５８】
本実施形態の原子力プラント内作業支援装置１では、原子力プラントの外のコンピュータであるサーバシステム８０と、無線通信回線４５、有線通信回線４２、情報記憶媒体であるメモリカード４１のいずれか１以上を介して前記確認情報、前記計測情報、又は前記報告書類を相互に移動可能である。サーバシステム８０は、印刷装置９５へ前記報告書類が信号線ｉｒを介して送信され、原子力プラントの外において前記報告書類が紙に印刷される。印刷された報告書は、原子力プラント外において印刷されたものである。このため、特別な管理は不要である。
【００５９】
上述したように、本実施形態の原子力プラント内作業支援方法は、原子力プラント内の作業手順の工程１２０を表示する手順と、作業手順の工程１２０の各工程において、作業実施の確認情報又は計測情報を入力する手順と、前記作業実施の確認情報又は前記計測情報をデータベースに記憶する手順と、前記データベースに記憶した前記作業実施の確認情報又は前記計測情報を帳票フォームに入力し報告書として記憶する手順と、を有する。これにより、作業者は、表示される原子力プラント内の作業手順の工程の選択に従い、作業実施の確認情報又は計測情報を入力作業することができる。作業者は、適切な作業手順で原子力プラント内作業を完了できるとともに、情報を紙へ記録する必要もなくなる。このため、原子力プラント内に持ち込む紙の量がゼロになるか又は低減される。
【００６０】
（実施形態２）
図５は、実施形態２に係る原子力プラント内の作業手順を示すフローチャートである。図６−１から図６−９は、実施形態２に係る作業情報の表示例を示す図である。本実施形態に係る原子力プラント内作業支援装置は実施形態１と同じであるが、計測した情報を過去の計測情報と共に表示することに特徴がある。次の説明においては、実施形態１で説明したものと同じ構成要素及び同じ手順には同一の符号を付して、重複する説明は省略する。
【００６１】
図１、図２、図５及び図６−１から図６−９を参照して、実施形態２の原子力プラント内作業支援方法の手順を説明する。また、図５に示すフローチャートに沿って原子力プラント内作業支援方法の手順を説明する。本実施形態では、例えば、原子力プラント内作業支援装置１は、原子力プラント内の作業である特定設備の分解組立て作業を支援する。
【００６２】
図５に示すように、原子力プラント内作業支援装置１の処理部２０は、まず初期条件の入力受付を開始する（ステップＳ１０）。処理部２０は、初期条件の入力受付を受け付けると、次にＲＡＭ２２又は記憶部２４に記憶されている判定基準の有無が判断される手順（ステップＳ１１）が行われる。判定基準ありと判断される場合（ステップＳ１１、Ｙｅｓ）、次の処理部２０がタッチパネル表示装置３０上に表示することで、作業者に作業対象入力受付の手順（ステップＳ２０）を促す。判定基準なしと判断される場合（ステップＳ１１、Ｎｏ）、例えば処理部２０が判定基準設定ボタンをタッチパネル表示装置３０上に表示し、次の判定基準の入力受付の手順（ステップＳ１２）を促す。本実施形態では、判定基準ありと判断されるので、処理部２０が処理をステップＳ２０へ進める。
【００６３】
次に、処理部２０では、作業対象入力受付の手順（ステップＳ２０）が行われる。本実施形態では、表示画面Ｗ２１がタッチパネル表示装置３０上に表示され作業選択が促される。作業対象は、例えば、作業ボタン１５１、１５２、１５３が選択的に表示される。凡例１５４の表示に従い、作業ボタン１５１、１５２、１５３の区別が行われ、例えば実施済、実施中、判定基準外、あるいは無地の未実施に区別される。そこで、処理部２０に画面Ｗ２１の作業ボタン１５２の入力が受け付けられ、図６−２に示す表示画面Ｗ２２がタッチパネル表示装置３０上に表示される。表示画面Ｗ２２では、処理部２０がクランプの配置を模したマップ上の作業対象１５５、１５６、１５７をタッチパネル表示装置３０に表示する。作業者が作業対象１５５、１５６、１５７のいずれか１つをペン型入力装置３０ａによりタッチパネル表示装置３０上で選択する。又は、作業者が作業対象１５５、１５６、１５７のいずれかの特定番号を直接入力装置３５で選択することにより、作業者は作業対象１５５、１５６、１５７のいずれか１つを選択可能である。タッチパネル表示装置３０上では、凡例１５４の表示に従い作業対象１５５、１５６、１５７が実施済、実施中、判定基準外に区別して表示され、実施されていない作業対象は白抜きで表示されている。なお、戻るボタン１５８を使用すると、表示画面Ｗ２１に戻ることができる。上述したように、作業対象入力受付の手順（ステップＳ２０）では、表示画面Ｗ２１のような作業選択と表示画面Ｗ２２のような位置選択とを組み合わせて作業対象入力としてもよい。
【００６４】
次に、処理部２０は、例えば、作業対象１５７（特定番号○−□）の入力を受け付けると、処理部２０がＲＡＭ２２又は記憶部２４に記憶してある作業対象１５７の過去の計測情報の読み込みをする手順（ステップＳ２１）を実行する。過去の計測情報は、都度、処理部２０が過去の計測情報の過去最大値又は過去最小値を演算しながら読み込んでも良い。
【００６５】
次に、処理部２０は、作業対象１５７（特定番号○−□）の過去の計測情報を読み込んだ後、ＲＡＭ２２又は記憶部２４に記憶してある作業手順の工程表示をする手順（ステップＳ３０）を実行する。図６−３では、処理部２０がＲＡＭ２２又は記憶部２４に記憶してある作業手順の工程１８１、１８２、１８３、１８４、１８５、１８６をタッチパネル表示装置３０に表示させた表示画面Ｗ２３を示している。本実施形態の作業手順は、特定設備締付記録作業フローである。
【００６６】
表示画面Ｗ２３では、作業手順の工程毎に、作業手順の工程１８１、１８２、１８３のみが表示されている工程と、チェックカラム１８４ａ、１８５ａ、１８６ａの横一列に並んだ状態で表示されている作業手順の工程１８４、１８５、１８６とがある。作業手順の工程は、処理部２０が複数頁に渡ってタッチパネル表示装置３０に表示しても良い。例えば、作業者によるスクロールバーＳＢの操作で、処理部２０が作業手順の工程の全体をタッチパネル表示装置３０に表示させることができる。あるいは、作業者によるページアップボタンＰＵの操作で処理部２０がページ上位の工程をタッチパネル表示装置３０に表示しても良い。作業者によるページアップダウンＰＤの操作で処理部２０がページ下位の工程をタッチパネル表示装置３０に表示しても良い。作業者が工程１つ毎前にずらすアップボタンＵ又は工程１つ毎後にずらすダウンボタンＤを１つ又は連続で押すことでタッチパネル表示装置３０上の表示を変えることもできる。また、作業者がセンターボタンＣを押すと、処理部２０がタッチパネル表示装置３０上で実施すべき未実施工程を中心とする表示とすることができる。作業手順の工程１８１、１８２、１８３、１８４、１８５、１８６は、凡例１６０に従い区別され表示される。なお、作業者が戻るボタン１５８を入力することにより、表示画面Ｗ２２に戻ることができる。
【００６７】
図６−３に示す表示画面Ｗ２３では、作業手順の工程がタッチパネル表示装置３０に表示されると、処理部２０は、次に作業実施の確認情報入力受付又は計測情報の入力受付を行う（ステップＳ４０）。作業実施の確認情報入力受付は、作業者がペン型入力装置３０ａによりタッチパネル表示装置３０上でチェックカラム１８４ａ、１８５ａ、１８６ａのいずれかへ入力をするとチェックマークが付与される。次に、処理部２０は、計測情報の入力受付の有無を判断する手順を行う（ステップＳ４１）。作業実施の確認情報入力受付であって、計測情報の入力受付の工程でない場合（ステップＳ４１、Ｎｏ）、処理部２０は全工程完了の有無を判断する手順を行う（ステップＳ４７）。
【００６８】
計測情報の入力受付の工程である場合（ステップＳ４１、Ｙｅｓ）、処理部２０は、計測情報の入力受付を行う。作業者がペン型入力装置３０ａにより作業手順の工程１８１を入力すると、例えば、処理部２０が図６−４に示す表示画面Ｗ２４をタッチパネル表示装置に表示する。表示画面Ｗ２４では、作業工程表示カラム１６０に、図６−３の表示画面Ｗ２３における作業手順の工程１８１の名称が表示される。処理部２０は、計測装置５１で計測した情報を過去の計測情報と共にタッチパネル表示装置３０にカラム１７０として表示させる手順を行う（ステップＳ４２）。図６−４には、過去の計測情報として、測定カラム１６３（左カラム）の過去最大、過去最小、１つ前の計測履歴が表示されている。なお、カラム１６３の右カラムについては、省略しているが同時表示してもよい。次に、処理部２０は、入力受付した計測情報が判定基準内であるか判断する手順を行う（ステップＳ４５）。表示画面Ｗ２４では、上述した計測装置５１からの入力データ又はテンキー表示１６２により作業者が入力した測定値が測定値カラム１６３に入力され、処理部２０が測定値をＲＡＭ２２又は記憶部２４に記憶する。処理部２０は、ＲＡＭ２２又は記憶部２４に記憶する判定基準をＲＡＭ２２のワークスペースに読み出しておく。処理部２０は、測定値と判定基準とを比較し、判断結果を測定値カラム１６３に表示する。入力受付した計測情報が判定基準内でない場合、あるいは判定基準がない場合（ステップＳ４５、Ｎｏ）、処理部２０は、処理をステップＳ４０に戻し、計測情報の入力受付を再開する。入力受付した計測情報が判定基準内である場合（ステップＳ４５、Ｙｅｓ）、処理部２０は全工程完了の有無を判断する手順を行う（ステップＳ４７）。本実施形態では、判定基準がない場合（ステップＳ４５、Ｎｏ）であるので、処理部２０は、表示画面Ｗ２４における次の作業へボタン１６４を入力受付待ちとなる。作業者が次の作業へボタン１６４を入力すると、処理部２０が処理をステップＳ４０に戻し、次の作業手順の工程１８２へ作業が移動する。処理部２０が計測情報の入力受付を再開すると、表示画面Ｗ２５がタッチパネル表示装置３０に表示される。なお、作業者は戻るボタン１５８を入力することにより、表示画面が表示画面Ｗ２３に戻る。
【００６９】
図６−５に示す表示画面Ｗ２５では、処理部２０は、次に作業実施の確認情報入力受付又は計測情報の入力受付を行う（ステップＳ４０）。表示画面Ｗ２５では、作業工程表示カラム１６０に、図６−３の表示画面Ｗ２３における作業手順の工程１８２の名称が表示される。ここで、計測情報の入力受付の工程である場合（ステップＳ４１、Ｙｅｓ）であるので、処理部２０は、計測情報の入力受付を行う。上述した計測装置５１からの入力データ（測定値）又はテンキー表示１６２により作業者が入力した測定値が計測情報として測定値カラム１６３に入力され、処理部２０が計測情報をＲＡＭ２２又は記憶部２４に記憶する。処理部２０は、今回計測した計測情報を過去の計測情報と共にタッチパネル表示装置３０上にカラム１７０で表示させる手順を行う（ステップＳ４２）。図６−５には、過去の計測情報として、測定カラム１６３（左カラム）の過去最大、過去最小、１つ前の計測履歴が表示されている。今回の表示は点で記載されているが、過去最大、過去最小、１つ前の計測履歴との相対位置で視覚的に、データの正しさを把握することが容易となっている。次に、処理部２０は、入力受付した計測情報が判定基準内であるか判断する手順を行う（ステップＳ４５）。表示画面Ｗ２５では、判定基準がない場合（ステップＳ４５、Ｎｏ）であるので、処理部２０は、表示画面Ｗ２５における次の作業へボタン１６４を入力受付待ちとなる。作業者が次の作業へボタン１６４を入力すると、処理部２０が処理をステップＳ４０に戻し、次の作業手順の工程１８３へ作業が移動する。処理部２０が計測情報の入力受付を再開すると、表示画面Ｗ２６がタッチパネル表示装置３０に表示される。なお、作業者は戻るボタン１５８を入力することにより、表示画面が表示画面Ｗ２４に戻る。
【００７０】
図６−６に示す表示画面Ｗ２６では、処理部２０は、次に作業実施の確認情報入力受付又は計測情報の入力受付を行う（ステップＳ４０）。表示画面Ｗ２６では、作業工程表示カラム１６０に、図６−３の表示画面Ｗ２３における作業手順の工程１８３の名称が表示される。ここで、計測情報の入力受付の工程である場合（ステップＳ４１、Ｙｅｓ）であるので、処理部２０は、計測情報の入力受付を行う。上述した計測装置５１からの入力データ（測定値）又はテンキー表示１６２により作業者が入力した測定値が計測情報として測定値カラム１６３に入力され、処理部２０が計測情報をＲＡＭ２２又は記憶部２４に記憶する。処理部２０は、今回計測した計測情報を過去の計測情報と共にタッチパネル表示装置３０にカラム１７０で表示させる手順を行う（ステップＳ４２）。図６−６には、過去の計測情報として、測定カラム１６３（左カラム）の過去最大、過去最小、１つ前の計測履歴が表示されている。今回の表示は測定点を結ぶ線分で記載されているが、過去最大、過去最小、１つ前の計測履歴との相対位置で視覚的に、グラフの傾向を把握することが容易となっている。例えば、過去の計測情報との比較により、今回の計測の傾向を把握し、データの異常の事前予測をすることができる。またデータの蓄積により、事前予測の精度を向上することができる。次に、処理部２０は、入力受付した計測情報が判定基準内であるか判断する手順を行う（ステップＳ４５）。表示画面Ｗ２６では、判定基準がない場合（ステップＳ４５、Ｎｏ）であるので、処理部２０は、表示画面Ｗ２６における次の作業へボタン１６４を入力受付待ちとする。作業者が次の作業へボタン１６４を入力すると、処理部２０が処理をステップＳ４０に戻し、次の作業手順の工程へ作業が移動する。処理部２０が計測情報の入力受付を再開すると、表示画面Ｗ２７がタッチパネル表示装置３０上に表示される。なお、作業者は戻るボタン１５８を入力することによりにより、表示画面が表示画面Ｗ２５に戻る。
【００７１】
図６−７に示す表示画面Ｗ２７では、処理部２０は、次に作業実施の確認情報入力受付又は計測情報の入力受付を行う（ステップＳ４０）。表示画面Ｗ２７では、作業工程表示カラム１６０に、図６−３の表示画面Ｗ２３における作業手順の工程１８３の名称が表示される。ここで、計測情報の入力受付の工程である場合（ステップＳ４１、Ｙｅｓ）であるので、処理部２０は、計測情報の入力受付を行う。上述した計測装置５１からの入力データ（計測値）又はテンキー表示１６２により作業者が入力した測定値が計測情報として測定値カラム１６３に入力され、処理部２０が計測情報をＲＡＭ２２又は記憶部２４に記憶する。処理部２０は、今回計測した計測情報を過去の計測情報と共にタッチパネル表示装置３０にカラム１７０で表示させる手順を行う（ステップＳ４２）。図６−７には、過去の計測情報として、測定カラム１６３（左カラム）の過去最大、過去最小、１つ前の計測履歴が表示されている。今回の表示は測定点を結ぶ線分で記載されているが、過去最大、過去最小、１つ前の計測履歴との相対位置で視覚的に、グラフの傾向を把握することが容易となっている。図６−７では、過去最小よりもステップ３の値が小さくなっており、データの異常を早く視覚的に把握することができる。次に、処理部２０は、入力受付した計測情報が判定基準内であるか判断する手順を行う（ステップＳ４５）。表示画面Ｗ２７では、判定基準外である場合（ステップＳ４５、Ｎｏ）であるので、処理部２０は、表示画面Ｗ２７における次の作業へボタン１６４を入力受付待ちとする。作業者が次の作業へボタン１６４を入力すると、処理部２０が処理をステップＳ４０に戻し、同じ作業手順の工程へ作業戻る。なお、作業者は戻るボタン１５８を入力することにより、表示画面が表示画面Ｗ２６に戻る。
【００７２】
図６−８に示す表示画面Ｗ２８では、処理部２０は、次に作業実施の確認情報入力受付又は計測情報の入力受付を行う（ステップＳ４０）。表示画面Ｗ２８では、作業工程表示カラム１６０に、図６−３の表示画面Ｗ２３における作業手順の工程１８３の名称が表示される。ここで、計測情報の入力受付の工程である場合（ステップＳ４１、Ｙｅｓ）であるので、処理部２０は、計測情報の入力受付を行う。上述した計測装置５１からの入力データ（計測値）又はテンキー表示１６２により作業者が入力した測定値が計測情報として測定値カラム１６３に入力され、処理部２０が計測情報をＲＡＭ２２又は記憶部２４に記憶する。処理部２０は、今回計測した計測情報を過去の計測情報と共にタッチパネル表示装置３０にカラム１７０で表示させる手順を行う（ステップＳ４２）。図６−８には、過去の計測情報として、測定カラム１６３（左カラム）の過去最大、過去最小、１つ前の計測履歴が表示されている。今回の表示は測定点を結ぶ線分で記載されているが、過去最大、過去最小、１つ前の計測履歴との相対位置で視覚的に、グラフの傾向を把握することが容易となっている。図６−８では、今回計測の情報が過去の計測情報と同程度であることが視覚的に把握することができる。次に、処理部２０は、入力受付した計測情報が判定基準内であるか判断する手順を行う（ステップＳ４５）。表示画面Ｗ２８では、判定基準内である場合（ステップＳ４５、Ｙｅｓ）であるので、処理部２０は、表示画面Ｗ２８における戻るボタン１５８を入力受付待ちとする。作業者により戻るボタン１５８が入力されると、処理部２０は全工程完了の有無を判断する手順を行う（ステップＳ４７）。
【００７３】
全工程完了の有無を判断する手順において工程の途中である場合（ステップＳ４７、Ｎｏ）、処理部２０は処理をステップＳ３０に戻す。例えば、図６−３に示す表示画面Ｗ２３では、作業手順の工程１８４がタッチパネル表示装置３０に表示されると、処理部２０は、次に作業実施の確認情報入力受付を行う（ステップＳ４０）。図６−９に示すように、作業手順１８４と、チェックカラム１８４ａとが横並びに表示されている。作業者は、ペン型入力装置３０ａによりチェックカラム１８４ａにチェックマークを入力する。処理部２０にチェックマークが入力受付されると、作業手順の工程１８４の表示が、図６−３の表示画面Ｗ２３における凡例１６０の表示に従い実施済み（作業済み）を示す区分に表示変更される。本実施形態の原子力プラント内作業支援装置１では、入力手段であるタッチパネル表示装置３０又は入力装置３５を有し、入力された作業済み（実施済み）情報を記憶手段に記憶し、作業済み情報に対応する検査手順の１工程を作業完了とし区別して表示手段であるタッチパネル表示装置３０に表示させる。これにより、作業者が作業済みの工程と、未作業の工程とを区別できる。その結果、作業工程の漏れを防止できる。
【００７４】
以上説明した工程を繰り返すことで、全工程完了した場合（ステップＳ４７、Ｙｅｓ）、処理部２０は、工程毎に作業実施の確認情報又は計測情報をデータベースとしてＲＡＭ２２又は記憶部２４に記憶する手順を行う（ステップＳ５０）。次に、処理部２０は、全作業対象について完了の有無を判断する手順を行う（ステップＳ５１）。全作業対象が完了していない場合（ステップＳ５１、Ｎｏ）、処理部２０は、ステップＳ２０へ戻る。全作業対象が完了している場合（ステップＳ５１、Ｙｅｓ）、処理部２０は帳票作成の入力受付を行う（ステップＳ６１）。帳票作成の入力受付がされる場合（ステップＳ６１、Ｙｅｓ）、処理部２０は、上述したデータベースに記憶した計測情報等をＲＡＭ２２又は記憶部２４に記憶する帳票フォームに入力し、入力後報告書としてＲＡＭ２２又は記憶部２４に記憶する（ステップＳ６２）。処理部２０は、帳票作成の入力受付がない場合（ステップＳ６１、Ｎｏ）、処理を終了する。
【００７５】
本実施形態の原子力プラント内作業支援装置１では、計測情報は、記憶手段であるＲＡＭ２２又は記憶部２４に記憶されている過去の計測情報と共に前記表示手段に表示されることが好ましい。これにより、作業者は計測情報の経過を把握することができる。過去の計測情報は、原子力プラント内作業支援装置１の処理部２０により、都度、過去の計測情報の過去最大値又は過去最小値を演算しながら読み込こまれ、過去の計測情報の過去最大値、過去最小値又は前回の計測値のいずれかと同時に今回の計測情報が表示されていると、比較がし易いので好ましい。
【００７６】
本実施形態の原子力プラント内作業支援装置１では、前記原子力プラントの外のコンピュータであるサーバシステム８０と、無線通信回線４５、有線通信回線４２、情報記憶媒体であるメモリカード４１のいずれか１以上を介して前記確認情報、前記計測情報、又は前記報告書類を相互に移動可能である。サーバシステム８０は、過去の計測情報を蓄積することに適しており、過去の計測情報をサーバシステム８０から原子力プラント内作業支援装置１へ取り込むことができる。これにより、情報蓄積する記憶手段を小さくしてもよく、原子力プラント内作業支援装置を小型化することができる。
【００７７】
上述したように本実施形態の原子力プラント内作業支援方法は、原子力プラント内の作業手順の工程１８１、１８２、１８３、１８４、１８４、１８５、１８６を表示する手順と、過去の計測情報の読み込みをする手順と、作業手順の工程の各工程において、作業実施の確認情報又は計測情報を入力する手順と、計測した情報を過去の計測情報と共に表示手段であるタッチパネル表示装置３０上にカラム１７０で表示させる手順と、を有する。これにより、作業者は、表示される原子力プラント内の作業手順の工程の選択に従い、作業者は計測情報の経過を把握しつつ、作業実施の確認情報又は計測情報を入力作業することができる。その結果、作業者は、作業での不具合に早く気づくことができるので、適切な作業を行うことができる。
【００７８】
（実施形態３）
図７は、実施形態３に係る原子力プラント内の作業手順を示すフローチャートである。図８−１から図８−４は、実施形態３に係る作業情報の表示例を示す図である。本実施形態に係る原子力プラント内作業支援装置は実施形態１と同じであるが、原子力プラント内の作業に関する作業情報に作業場所の表示を含むことに特徴がある。次の説明においては、上述した実施形態で説明したものと同じ構成要素及び同じ手順には同一の符号を付して、重複する説明は省略する。
【００７９】
図１、図２、図７及び図８−１から図８−４を参照して、実施形態３の原子力プラント内作業支援方法の手順を説明する。また、図７に示すフローチャートに沿って原子力プラント内作業支援方法の手順を説明する。本実施形態では、原子力プラント内作業支援装置１は、例えば、原子力プラント内の作業である放射線計測作業を支援する。
【００８０】
図７に示すように、原子力プラント内作業支援装置１の処理部２０は、まず初期条件の入力受付を開始する（ステップＳ１０）。図８−１では、処理部２０が初期条件の入力受付を行っている表示画面Ｗ３１を示している。情報入力ボタン１０１、プラント選択カラム１０２、定期検査回数カラム１０３、追加ボタン１０４、実施日カラム１０５、テンキー表示ボタン１０７、判定基準設定ボタン１１０、終了ボタン１１１は、実施形態１と同じであるので説明を省略する。測定場所選択ボタン１９５は、作業対象入力を受け付けるためのボタンである。処理部２０は、初期条件の入力受付を受け付けると、次にＲＡＭ２２又は記憶部２４に記憶されている判定基準の有無が判断される手順（ステップＳ１１）が行われる。判定基準ありと判断される場合（ステップＳ１１、Ｙｅｓ）、処理部２０がタッチパネル表示装置３０上に表示することで、作業者に次の作業対象入力受付の手順（ステップＳ２０）を促す。判定基準なしと判断される場合（ステップＳ１１、Ｎｏ）、例えば原子力プラント内作業支援装置１が判定基準設定ボタンをタッチパネル表示装置３０上に表示し、次の判定基準の入力受付の手順（ステップＳ１２）を促す。本実施形態では、判定基準ありと判断されるので、処理部２０が処理をステップＳ２０へ進める。
【００８１】
次に、処理部２０では、作業対象入力受付の手順（ステップＳ２０）が行われる。本実施形態では、表示画面Ｗ３２がタッチパネル表示装置３０上に表示され測定場所選択が促される。作業対象は、加圧器であり、表示画面Ｗ３２がタッチパネル表示装置３０に表示される（ステップＳ３１）。表示画面Ｗ３２では、例えば、処理部２０が作業場所ボタン１９１、１９２、１９３、１９４を選択的にタッチパネル表示装置３０に表示する。また、表示画面Ｗ３２では、作業者が測定者・測定器選択ボタン２０１を入力することにより、処理部２０に測定者の情報と測定器の情報を受付けさせ、ＲＡＭ２２又は記憶部２４に記憶させる。作業者が測定者・測定器選択ボタン２０１を入力し、処理部２０が情報入力装置５２をＩＣタグとして測定者の情報と測定器の情報を受け付けることもできる。この場合処理部２０が時刻情報と共に情報入力装置５２からの個体識別情報を受け付けることにより、測定者の情報と測定器の情報の受付を行う。これにより、個体識別情報を入退室の管理に用いることもできる。また、表示画面Ｗ３２では、作業者が入力確認ボタン２０２を入力することにより、作業者はタッチパネル表示装置３０に表示されている測作業場所ボタン１９１、１９２、１９３、１９４の選択状態を確認することができる。また、作業者は戻るボタン２０３を入力するにより、表示画面が表示画面Ｗ３１に戻る。
【００８２】
次に、処理部２０は、作業場所１９１の入力を受け付けると、処理部２０がＲＡＭ２２又は記憶部２４に記憶してある作業場所１９１の過去の計測情報の読み込みをする手順（ステップＳ３２）を実行する。
【００８３】
次に、処理部２０は、作業場所１９１（特定番号１）の過去の計測情報を読み込んだ後、処理部２０が次に作業実施の確認情報入力受付又は計測情報の入力受付を行う（ステップＳ４０）。図８−３に示す表示画面Ｗ３３では、計測情報の入力受付の工程である場合（ステップＳ４１、Ｙｅｓ）であるので、処理部２０は、計測情報の入力受付を行う。上述した計測装置５１からの入力データ（計測値）又はテンキー表示１０７により作業者が入力した測定値が計測情報として測定値カラム２０５及び２０６に入力され、処理部２０が計測情報をＲＡＭ２２又は記憶部２４に記憶する。処理部２０は、今回計測した計測情報を過去の計測情報と共にタッチパネル表示装置３０上のカラム２０７及び２０８に表示させる手順を行う（ステップＳ４２）。本実施形態では、今回の測定値と前回の測定値とを所定の演算値カラム２０９、２１０に表示する。
【００８４】
次に、処理部２０は、入力受付した計測情報が判定基準内であるか判断する手順を行う（ステップＳ４５）。表示画面Ｗ３３では、処理部２０は、ＲＡＭ２２又は記憶部２４に記憶する判定基準をＲＡＭ２２のワークスペースに読み出しておく。処理部２０は、測定値と判定基準とを比較し、判断結果を凡例２０４の表示に従い演算値カラム２０９及び２１０に表示する。入力受付した計測情報が判定基準内でない場合（ステップＳ４５、Ｎｏ）、処理部２０は処理をステップＳ４０に戻す。これにより、処理部２０は計測情報の入力受付を再開する。入力受付した計測情報が判定基準内である場合（ステップＳ４５、Ｙｅｓ）、処理部２０は全場所完了の有無を判断する手順を行う（ステップＳ４８）。
【００８５】
全場所完了の有無を判断する手順において工程の途中である場合（ステップＳ４８、Ｎｏ）、処理部２０は処理をステップＳ３１に戻す。全場所完了した場合（ステップＳ４８、Ｙｅｓ）、処理部２０は、場所毎に作業実施の確認情報又は計測情報をデータベースとしてＲＡＭ２２又は記憶部２４に記憶する手順を行う（ステップＳ５０）。次に、処理部２０は、全作業対象について完了の有無を判断する手順を行う（ステップＳ５１）。全作業対象が完了していない場合（ステップＳ５１、Ｎｏ）、処理部２０は、ステップＳ２０へ戻る。全作業対象が完了している場合（ステップＳ５１、Ｙｅｓ）、処理部２０は、帳票作成の入力受付を行う（ステップＳ６１）。帳票作成の入力受付がされる場合（ステップＳ６１、Ｙｅｓ）、処理部２０は、上述したデータベースに記憶した計測情報等をＲＡＭ２２又は記憶部２４に記憶する帳票フォームに入力する。処理部２０は、入力後、報告書としてＲＡＭ２２又は記憶部２４に記憶する（ステップＳ６２）。例えば、図８−４に示す表示画面Ｗ３４のように、処理部２０は報告書としてＲＡＭ２２又は記憶部２４に記憶する。表示画面Ｗ３４は、データベース情報２１１及び測定場所情報２１２を併記しており、作業者はデータと測定場所の関係を理解しやすい。処理部２０は、帳票作成の入力受付がない場合（ステップＳ６１、Ｎｏ）、処理を終了する。
【００８６】
上述したように本実施形態の原子力プラント内作業支援方法は、原子力プラント内の作業場所を表示する手順と、前記作業場所において、作業実施の確認情報又は計測情報を入力する手順と、前記作業実施の確認情報又は前記計測情報をデータベースに記憶する手順と、前記データベースに記憶した前記作業実施の確認情報又は前記計測情報を帳票フォームに入力し報告書として記憶する手順と、を有する。これにより、作業者は、表示される原子力プラント内の作業場所の選択に従い、作業実施の確認情報又は計測情報を入力作業することができる。その結果、作業者は、適切な作業手順で原子力プラント内作業を完了できるとともに、情報を紙へ記録する必要もなくなる。このため、原子力プラント内に持ち込む紙の量がゼロになるか又は低減される。
【００８７】
（実施形態４）
図９は、実施形態４に係る原子力プラント内の作業手順を示すフローチャートである。本実施形態に係る原子力プラント内作業支援装置は実施形態１と同じであるが、作業手順のいずれかの工程で、情報入力装置で撮影した写真情報、入力手段により入力した文字情報又は図形情報のいずれかを記憶手段により作業手順に関連付けて記憶することに特徴がある。次の説明においては、上述した実施形態で説明したものと同じ構成要素及び同じ手順には同一の符号を付して、重複する説明は省略する。
【００８８】
図９に示すフローチャートに沿って実施形態４の原子力プラント内作業支援方法の手順を説明する。図９に示すように、原子力プラント内作業支援装置１の処理部２０は、まず初期条件の入力受付を開始する（ステップＳ１０１）。上述した図４−１表示画面Ｗ１１を例に説明すると、情報入力ボタン１０１は、情報入力を受け付けるキーであって、入力が受け付けられると、情報入力ボタン１０１がプルダウンされる。
【００８９】
処理部２０は、作業者が情報入力ボタン１０１をプルダウンすることで、写真、手書き、文字の各情報を受け付けることができる。作業者が写真情報を入力する場合（ステップＳ１１１、Ｙｅｓ）、処理部２０は、作業者が操作する情報入力ボタン１０１の写真の選択を受け付ける。情報入力装置５１が撮像手段となり、処理部２０が情報入力装置５１から写真情報をＲＡＭ２２又は記憶部２４に記憶する（ステップＳ１１２）。
【００９０】
作業者が写真情報を入力しない場合（ステップＳ１１１、Ｎｏ）、あるいは写真情報の記憶（ステップＳ１１２）が完了した場合、処理部２０は、作業者が操作する情報入力ボタン１０１の手書きの選択を受け付ける。そして処理部２０は、タッチパネル表示装置３０からの手書き入力を受け付ける（ステップＳ１２１）。作業者が手書き入力する場合（ステップＳ１２１、Ｙｅｓ）、処理部２０は、作業者が操作する写真情報への書き込みの選択を受け付ける（ステップＳ１２２）。作業者が写真情報への書き込みを手書き入力で行う場合（ステップＳ１２２、Ｙｅｓ）、処理部２０はＲＡＭ２２又は記憶部２４に記憶してある写真情報をＲＡＭ２２のワークスペースに読み込む（ステップＳ１２３）。次に、処理部２０は、タッチパネル表示装置３０からの手書き入力を受け付ける（ステップＳ１２４）。処理部２０は、作業者の手書き入力を図形情報として取り扱い、ＲＡＭ２２又は記憶部２４に図形情報を記憶する。あるいは、処理部２０は、作業者の手書き入力を図形情報として取り扱い、ＲＡＭ２２又は記憶部２４に写真情報と共に図形情報を記憶する（ステップＳ１２５）。
【００９１】
作業者が手書き入力をしない場合（ステップＳ１２１、Ｎｏ）、あるいは写真情報又は図形情報の記憶（ステップＳ１２５）が完了した場合、処理部２０は、作業者が操作する情報入力ボタン１０１の文字の選択を受け付ける。そして処理部２０は、タッチパネル表示装置３０又は入力装置３５からの文字入力を受け付ける（ステップＳ１３１）。作業者が文字入力する場合（ステップＳ１３１、Ｙｅｓ）、処理部２０は、作業者が操作する写真情報への書き込みの選択を受け付ける（ステップＳ１３２）。作業者が写真情報への書き込みを文字入力で行う場合（ステップＳ１３２、Ｙｅｓ）、処理部２０はＲＡＭ２２又は記憶部２４に記憶してある写真情報をＲＡＭ２２のワークスペースに読み込む（ステップＳ１３３）。ここで読み込む写真情報には、ステップＳ１２５で図形情報が付随する写真情報も含まれる。次に、処理部２０は、タッチパネル表示装置３０又は入力装置３５からの文字入力を受け付ける（ステップＳ１３４）。処理部２０は、文字入力を図形情報に付随させ、図形情報をＲＡＭ２２又は記憶部２４に記憶する。あるいは、処理部２０は、文字入力を写真情報に付随させ、写真情報、または写真情報と共に図形情報をＲＡＭ２２又は記憶部２４に記憶する（ステップＳ１２５）。
【００９２】
作業者が文字入力をしない場合（ステップＳ１３１、Ｎｏ）、あるいは写真情報又は図形情報の記憶（ステップＳ１３５）が完了した場合、処理部２０は、処理を終了する。
【００９３】
実施形態４に係る原子力プラント内の作業手順は、上述した実施形態１の例えば、図４−１に示す表示画面Ｗ１１、図４−３に示す表示画面Ｗ１３、図４−５に示す表示画面Ｗ１５、図４−６に示す表示画面Ｗ１６のいずれかの工程で実施することができる。これにより、原子力プラント内作業支援装置１の処理部２０が情報入力装置で撮影した写真情報、入力手段により入力した文字情報又は図形情報のいずれかを作業手順に関連付けてＲＡＭ２２又は記憶部２４に記憶できる。このため、原子力プラント内作業支援装置１が支援する作業の現場状況の記録を写真情報又は図形情報と共に記憶することができ、状況把握が容易になる。また、図４−５に示す表示画面Ｗ１５と共に、写真情報又は図形情報を関連付けて記憶することで、説明及び注意事項を視覚的に把握できるので作業の理解を助けることができる。
【００９４】
実施形態４に係る原子力プラント内の作業手順は、上述した実施形態２の例えば、図６−４に示す表示画面Ｗ２４、図６−５に示す表示画面Ｗ２５、図６−６に示す表示画面Ｗ２６、図６−７に示す表示画面Ｗ２７のいずれかの工程で実施することができる。これにより、原子力プラント内作業支援装置１が情報入力装置で撮影した写真情報、入力手段により入力した文字情報又は図形情報のいずれかを作業手順に関連付けてＲＡＭ２２又は記憶部２４に記憶できる。このため、原子力プラント内作業支援装置１が支援する作業の現場状況の記録を写真情報又は図形情報と共に記憶することができ、状況把握が容易になる。
【００９５】
実施形態４に係る原子力プラント内の作業手順は、上述した実施形態３の例えば、図８−１に示す表示画面Ｗ３１、図８−２に示す表示画面Ｗ３２、図８−３に示す表示画面Ｗ３３のいずれかの工程で実施することができる。これにより、原子力プラント内作業支援装置１が情報入力装置で撮影した写真情報、入力手段により入力した文字情報又は図形情報のいずれかを作業手順に関連付けてＲＡＭ２２又は記憶部２４に記憶できる。このため、原子力プラント内作業支援装置１が支援する作業の現場状況の記録を写真情報又は図形情報と共に記憶することができ、状況把握が容易になる。
【００９６】
本実施形態では、原子力プラント内作業支援装置１とサーバシステム８０との間において、無線通信、有線通信、記憶媒体のいずれか１以上を介して上述した情報入力装置で撮影した写真情報、入力手段により入力した文字情報又は図形情報のいずれかを相互に移動可能である。これにより、紙への記録することなく原子力プラント内作業を記録でき、原子力プラント外において、確認が容易となる。
【００９７】
本実施形態では、原子力プラント内作業支援装置１の処理部２０は、ＲＡＭ２２又は記憶部２４に記憶した報告書へ、写真情報、入力手段により入力した文字情報又は図形情報のいずれかを含ませ、ＲＡＭ２２又は記憶部２４に記憶することもできる。
【符号の説明】
【００９８】
１  原子力プラント内作業支援装置
２０、９０  処理部
３０  タッチパネル表示装置
３０ａ  ペン型入力装置
３２  表示装置
３３  キーボード
３５  入力装置
３６、３７  メモリスロット
４１  メモリカード
４２  有線通信回線
４３、４４  無線通信装置
４５  無線通信回線
５１  計測装置
５２  情報入力装置
８０  サーバシステム
８５  表示装置
８６  入力装置
Ａ  放射線管理区域
Ｂ  放射線管理区域外
【図１】
2012159478.tif 000003
【図２】
2012159478.tif 000004
【図３】
2012159478.tif 000005
【図４−１】
2012159478.tif 000006
【図４−２】
2012159478.tif 000007
【図４−３】
2012159478.tif 000008
【図４−４】
2012159478.tif 000009
【図４−５】
2012159478.tif 000010
【図４−６】
2012159478.tif 000011
【図５】
2012159478.tif 000012
【図６−１】
2012159478.tif 000013
【図６−２】
2012159478.tif 000014
【図６−３】
2012159478.tif 000015
【図６−４】
2012159478.tif 000016
【図６−５】
2012159478.tif 000017
【図６−６】
2012159478.tif 000018
【図６−７】
2012159478.tif 000019
【図６−８】
2012159478.tif 000020
【図６−９】
2012159478.tif 000021
【図７】
2012159478.tif 000022
【図８−１】
2012159478.tif 000023
【図８−２】
2012159478.tif 000024
【図８−３】
2012159478.tif 000025
【図８−４】
2012159478.tif 000026
【図９】
2012159478.tif 000027